(57)【要約】【課題】オリジナルのＷｅｂページに対して加工が施された加工Ｗｅｂページを簡単に共有することができる通信端末装置及び通信システムを提供することを目的とする。【解決手段】ＩＰ電話装置１００はＷｅｂブラウザにより取得したオリジナルのＷｅｂページデータに関して加工を施す加工手段と、この加工したＷｅｂページデータを格納、送信するサーバ手段と、を備えている。したがって、加工したＷｅｂページを共有するための専用サーバを必要とすることなく、通話相手先のＩＰ電話装置１００’との間で加工Ｗｅｂページを共有することができる。【選択図】図３
2013201592.tif 000002
【特許請求の範囲】
【請求項１】
Ｗｅｂブラウザを搭載するとともに、通信相手先との間でデータの共有を行う通信端末装置であって、
前記Ｗｅｂブラウザにより取得したＷｅｂページデータを加工する加工手段と、
前記加工手段により加工した加工Ｗｅｂページデータを格納するとともに、前記通信相手先からの要求により前記加工Ｗｅｂページデータを送信するサーバ手段と、を備えていることを特徴とする通信端末装置。
【請求項２】
前記通信端末装置は、前記加工Ｗｅｂページデータの格納場所を特定するＵＲＬ情報を前記通信相手先に送信するＵＲＬ情報送信手段を備えていることを特徴とする請求項１に記載の通信端末装置。
【請求項３】
Ｗｅｂブラウザを搭載する第１の通信端末装置と、
Ｗｅｂブラウザを搭載する第２の通信端末装置と、を備え、
前記第１の通信端末装置と前記第２の通信端末装置との間でデータの共有を行う通信システムであって、
前記第１の通信端末装置は、
前記Ｗｅｂブラウザにより取得したＷｅｂページデータを加工する加工手段と、
前記加工手段により加工した加工Ｗｅｂページデータを格納するサーバ手段と、
前記加工Ｗｅｂページデータの格納場所を特定するＵＲＬ情報を前記第２の通信端末装置に送信するＵＲＬ情報送信手段と、を備え、
前記第２の通信端末装置のＷｅｂブラウザが、前記ＵＲＬ情報をもとに前記第１の通信端末装置に接続すると、前記サーバ手段は、前記加工Ｗｅｂページデータを前記第２の通信端末装置へ送信し、
前記第１の通信端末装置と前記第２の通信端末装置とが、前記加工Ｗｅｂページデータを共有することを特徴とする通信システム。
【発明の詳細な説明】
【技術分野】
【０００１】
本発明は、ＩＰ電話網に接続されて音声及び映像の送受信を行うＩＰ電話装置等の通信端末装置及び通信システムに関し、特に、通信相手先の通信端末装置との間で同一のＷｅｂページを表示することができる通信端末装置及び通信システムに関するものである。
【背景技術】
【０００２】
近年、一般電話回線以外に、ＩＰ電話網やインターネット等の広域通信網に接続して、データ通信サービス等の様々なサービスを受けることが可能なＩＰ電話装置が普及している。このような電話装置に対するサービスとして、テレビ電話サービスが実用化されている。テレビ電話サービスの利用者は、カメラ機能及び画像送信機能を備えたＩＰ電話装置を通信回線に接続することにより、撮影された映像の送受信を行いながら音声通話を行うことが可能である。
【０００３】
また、音声通話中やテレビ電話中に通話相手先との間で、各通話者によって作成されたメモ帳共有、カメラ撮影以外から取得された画像共有、Ｗｅｂブラウザの画面共有等といった各種アプリケーション或いは各種データを共有する機能を備えたテレビ電話装置も提供されている。
【０００４】
例えば、下記特許文献１（特開２０１０？１５２７７２号公報）に開示された情報処理装置では、Ｗｅｂ画面共有・統合サーバの機能を備え、共有端末装置で共有される共有画面情報にイベント制御スクリプト、イベント送信スクリプト、イベント受信スクリプトを組み込み、これらスクリプトが組み込まれた共有画面（組み込み共有画面情報）を各々の共有端末装置に対して送信するように構成している。
【先行技術文献】
【特許文献】
【０００５】
【特許文献１】特開２０１０？１５２７７２号公報
【発明の概要】
【発明が解決しようとする課題】
【０００６】
しかしながら、上記特許文献１の発明のように、各端末へ共有画面を提供する情報処理装置としての統合用サーバを設けることは、大規模なシステムを構築する必要があるなどコスト高となり、ＩＰ電話装置のような家庭向け電気機器を使用している一般ユーザにとっては必ずしも使い勝手の良いサービスとはいえない。
【０００７】
特に、互いのＩＰ電話装置を用いてＷｅｂページを共有する場合として、例えば、教師と生徒による一対一での遠隔授業で利用する場合や、医者と患者との間での遠隔診断で利用する場合や、離れた場所にいる友達同士が同じ画面を見ながら旅行の計画をたてる際に利用する場合等が考えられる。
【０００８】
このような場合、お互いに同じＷｅｂページを見てはいるが、実際に同じ場所に居るわけではないので、意志疎通が困難なことがある。したがって、お互いの意思疎通を図るため、Ｗｅｂページの中で強調したい箇所だけを表示したり、文字の大きさや色を変えたり、付箋や注釈を入れたりといった、Ｗｅｂページの加工を行った上で共有できると便利である。また、このような加工を施したＷｅｂページを共有するにあたって、一般ユーザにとってはできるだけ簡単な操作で共有できることが望ましい。
【０００９】
しかしながら、特許文献１のような方法によると、情報処理装置を介して共有する必要があるため、非常に複雑な通信システムとなってしまう。また、通信端末装置側においても、加工データを別途情報処理装置へ送信するための手段も必要となってしまう。
【００１０】
本発明は、上記の問題点を解消することを課題とするものであり、オリジナルのＷｅｂページに対して加工を施し、この加工Ｗｅｂページを簡単に共有することができる通信端末装置及び通信システムを提供することを目的とする。
【課題を解決するための手段】
【００１１】
前記課題を解決するために、本発明の第１の態様は、Ｗｅｂブラウザを搭載するとともに、通信相手先との間でデータの共有を行う通信端末装置であって、前記Ｗｅｂブラウザにより取得したＷｅｂページデータを加工する加工手段と、前記加工手段により加工した加工Ｗｅｂページデータを格納するとともに、前記通信相手先からの要求により前記加工Ｗｅｂページデータを送信するサーバ手段と、を備えていることを特徴とする。
【００１２】
また、本発明の第２の態様は、第１の態様にかかる通信端末装置であって、前記通信端末装置は、前記加工Ｗｅｂページデータの格納場所を特定するＵＲＬ情報を前記通信相手先に送信するＵＲＬ情報送信手段を備えていることを特徴とする。
【００１３】
また、本発明の第３の態様は、Ｗｅｂブラウザを搭載する第１の通信端末装置と、Ｗｅｂブラウザを搭載する第２の通信端末装置と、を備え、前記第１の通信端末装置と前記第２の通信端末装置との間でデータの共有を行う通信システムであって、前記第１の通信端末装置は、前記Ｗｅｂブラウザにより取得したＷｅｂページデータを加工する加工手段と、前記加工手段により加工した加工Ｗｅｂページデータを格納するサーバ手段と、前記加工Ｗｅｂページデータの格納場所を特定するＵＲＬ情報を前記第２の通信端末装置に送信するＵＲＬ情報送信手段と、を備え、前記第２の通信端末装置のＷｅｂブラウザが、前記ＵＲＬ情報をもとに前記第１の通信端末装置に接続すると、前記サーバ手段は、前記加工Ｗｅｂページデータを前記第２の通信端末装置へ送信し、前記第１の通信端末装置と前記第２の通信端末装置とが、前記加工Ｗｅｂページデータを共有することを特徴とする。
【発明の効果】
【００１４】
本発明は、以下に説明する優れた効果を発揮する。すなわち、本発明の通信端末装置はＷｅｂブラウザにより取得したオリジナルのＷｅｂページデータに関して文字の大きさを変える等の加工を施す加工手段と、この加工したＷｅｂページデータを格納、送信するサーバ手段と、を備えているので、加工したＷｅｂページを共有するための専用サーバを必要とすることなく、通信相手先との間で加工Ｗｅｂページを共有することができる。特に、通信端末装置は、加工Ｗｅｂページデータの格納場所を特定するＵＲＬ情報を送信する送信手段を備えているので、ＵＲＬ情報の送受信だけで、通信相手先との間での加工Ｗｅｂページの共有を行うことができる。
【００１５】
また、本発明の通信システムによれば、Ｗｅｂページデータを加工する加工手段と、加工Ｗｅｂページデータを格納、送信するサーバ手段と、加工Ｗｅｂページデータの格納場所を特定するＵＲＬ情報を送信するＵＲＬ情報送信手段と、を第１の通信端末装置が備え、第２の通信端末装置との間でＵＲＬ情報の送受信を行い、第２の通信端末装置がこのＵＲＬ情報に基づきＷｅｂブラウザを起動させることで、加工Ｗｅｂページを共有することできるので、加工したＷｅｂページを共有するための専用サーバを必要とすることなく、簡単な構成により加工Ｗｅｂページの共有を行うことができる。また、第２の通信端末装置のユーザにとっては、通常Ｗｅｂページを閲覧するのと同様にブラウザを起動するだけで加工Ｗｅｂページの共有を行うことができるので、ユーザは難しい操作を行う必要がない。
【図面の簡単な説明】
【００１６】
【図１】本発明の実施例に係るＩＰ電話装置を含む通信システムの構成を示すブロック図である。
【図２】本発明の実施例に係るＩＰ電話装置の構成を示す内部ブロック図である。
【図３】本発明の実施例に係るＩＰ電話装置同士が加工Ｗｅｂページの共有を行う制御を示したシーケンス図である。
【図４】本発明の実施例に係る加工Ｗｅｂページの共有処理を行うにあたり、ユーザ側のＩＰ電話装置におけるＷｅｂページの加工処理を示すフローチャートである。
【図５】本発明の実施例に係る加工Ｗｅｂページの共有処理におけるユーザ側のＩＰ電話装置の動作を示すフローチャートである。
【図６】本発明の実施例に係る加工Ｗｅｂページの共有処理における通話相手先のＩＰ電話装置の動作を示すフローチャートである。
【発明を実施するための形態】
【００１７】
以下、本発明の具体例を実施例及び図面を用いて詳細に説明する。但し、以下に示す実施形態は、本発明の技術的思想を具体化するための通信端末装置及び通信システムを例示するものであって、本発明をこの通信端末装置及び通信システムに特定することを意図するものではなく、特許請求の範囲に含まれるその他の実施形態の通信端末装置及び通信システムにも等しく適応し得るものである。
【００１８】
図１は、本発明の実施例に係るＩＰ電話装置を含む通信システムの構成を示すブロック図である。本システムは、ＩＰ電話装置１００、有線ＬＡＮ１０１、ＩＰ電話ルータ１０２、ブロードバンドルータ１０３、ゲートウェイ１０４、ＩＰ電話網１０５、インターネット１０６、ＰＳＴＮ網１０７（＝Public Switched Telephone Network：公衆電話交換網）、及び加入者電話装置１０８を含むように構成されている。
【００１９】
本発明のＩＰ電話装置１００は有線ＬＡＮ１０１に接続され、この有線ＬＡＮ１０１は、ＩＰ電話ルータ１０２を介してＩＰ通信網１０５に、ブロードバンドルータ１０３を介してインターネット１０６に、ゲートウェイ１０４を介してＰＳＴＮ網１０７にそれぞれ接続されることにより、通信可能である。なお、ＩＰ電話装置１００の内部構造の詳細については後述する。
【００２０】
有線ＬＡＮ１０１を構成する物理的な手段としては、例えばツイストペアケーブルを用いた１０ＢＡＳＥ−Ｔ（ＩＥＥＥ８０２．３■として標準化）や１００ＢＡＳＥ−ＴＸ（ＩＥＥＥ８０２．３ｕとして標準化）等があ
げられる。
【００２１】
ＩＰ電話ルータ１０２、及びブロードバンドルータ１０３は、複数のＩＰネットワークを相互接続するためのネットワーク中継装置である。具体的には、ＯＳＩ（Open Systems
Interconnection）参照モデルでいうネットワーク層（第３層）やトランスポート層（第４層）の一部のプロトコルを解析して転送を行う。
【００２２】
本実施例では、ＩＰ電話ルータ１０２は有線ＬＡＮ１０１とＩＰ電話網１０５との二つのＩＰネットワークを相互に接続する役割を持つ。またブロードバンドルータ１０３は、有線ＬＡＮ１０１とインターネット１０６との二つのＩＰネットワークを相互に接続する役割を持つ。
【００２３】
ゲートウェイ１０４は、プロトコル体系が異なるネットワーク間を相互接続するためのプロトコル変換器である。ゲートウェイ１０４は、例えば、有線ＬＡＮ１０１とＰＳＴＮ
網１０７とを接続し、ＳＩＰ等のシグナリングプロトコルを用いてシグナル変換を行うことにより、両ネットワーク間での通信を可能とする。
【００２４】
ＩＰ電話網１０５は、電話網の一部もしくは全てにＶｏＩＰ（Voice over Internet Protocol）技術を利用した通信網であり、用いる通信回線としてはＦＴＴＨ（Fiber To The
Home）やＡＤＳＬ（Asymmetric Digital Subscriber Line）等の、いわゆるブロードバンド回線が利用される。なお、ＩＰ電話網１０５には通信相手先となるＩＰ電話装置１００’だけを図示しているが、ＩＰ電話網１０５には、通信相手先となるＩＰ電話装置１００’の他にも複数のＩＰ電話装置が接続されている。また、ＩＰ電話装置１００’もＩＰ電話装置１００と同様に、図示していないブロードバンドルータを介してインターネット１０６へ接続されている。
【００２５】
なお、ＶｏＩＰとは、音声を各種符号化方式で圧縮してパケットに分割し、ＩＰネットワークでリアルタイム伝送する技術である。これによりＩＰ電話網１０５は音声通話サービスの他、画像の送受信を行うテレビ電話サービス等が提供可能となる。
【００２６】
インターネット１０６は、通信プロトコルによるネットワークを相互接続して構築された広域通信網である。大小様々なコンピュータネットワークを相互に連結させて、国際的な通信ネットワークが構築されている。通信プロトコルとしては主に、ＴＣＰ／ＩＰが標準的なプロトコルとして採用されている。
【００２７】
ＰＳＴＮ網１０７は、一般の加入者電話回線ネットワークである。このＰＳＴＮ網１０７は、末端に加入者電話装置１０８が接続され、回線交換方式で通信相手に接続して音声通話を行うのに用いられる。加入者電話装置１０８は、電話加入者がＰＳＴＮ網１０７を用いてＰＳＴＮ網に接続された他の加入者電話装置や有線ＬＡＮ１０１やＩＰ電話網１０５に接続されたＩＰ電話装置と音声通話を行うための電話装置である。
【００２８】
次に、図２を参照して本実施例のＩＰ電話装置１００について説明する。なお、図２は本発明の実施例に係るＩＰ電話装置１００の構成を示す内部ブロック図である。ＩＰ電話装置１００は、制御部１１０、通信部１２０、音声処理部１３０、映像及び画像処理部１４０、操作部１５０、記録部１６０、時計部１７０、電源部１８０を備えて構成される。
【００２９】
制御部１１０は、ＣＰＵ、ＲＡＭ、ＲＯＭを備えて構成されるマイクロプロセッサであり、ＲＡＭやＲＯＭに記憶された制御プログラムをＣＰＵにおいて実行することにより、以下に説明する各部の動作を制御・統括する。
【００３０】
通信部１２０は、ＩＰ電話装置１００が通話相手先となる他のＩＰ電話装置（図１では、ＩＰ電話装置１００’）と通信を行う際の通信制御を行うためのものである。これには、シグナリング、データ送受信、ブラウザ処理、ＵＲＬ情報送信処理に関わる制御が含まれる。
【００３１】
シグナリングには通信セッションの生成、確立、切断の処理が含まれる。具体的には、ユーザが操作部１５０を操作して電話番号等を入力した際に、ＩＰ電話網１０５に接続されたＳＩＰサーバ（図示せず）等に接続して通話相手先のＩＰ電話装置１００’の位置情報を入手するとともに、通話相手先のＩＰ電話装置１００’を呼出し、通話相手先が応答した場合に通信経路を確立することと、通話が終了した際にセッション切断メッセージ等を送信することによってセッションを終了することが含まれる。
【００３２】
データの送受信に関わる制御には、音声データ、映像データ、画像データをパケットに分割するＩＰパケット化とＩＰパケットの送信、有線ＬＡＮ１０１を介して受信したパケ
ットを、正しい順序に並べ替えるとともに実際のデータ部分を抽出して組立てるＩＰパケットの受信及び組立てとが含まれる。
【００３３】
データをパケットとして送信する際には、所定データ長に分割された各データに送信元、宛先、順序、送信時刻、用途（ＩＰ電話の音声データ、映像データ、画像データ）を示すヘッダを付与する。また、受信したパケットは、ヘッダ部分を参照することによって、音声、映像、画像ごとに正しい順序で組立てられてゆき、音声処理部１３０、映像及び画像処理部１４０に出力される。
【００３４】
ブラウザ処理に関わる制御には、指定されたＵＲＬに基づき該当するＷｅｂサーバへの接続、また、接続したＷｅｂサーバに対する各種ファイルの要求と受信、更には受信したファイルに基づき音声処理部１３０、映像及び画像処理部１４０への出力が含まれる。
【００３５】
ＵＲＬ情報送信処理に関わる制御には、後述の加工Ｗｅｂページデータの格納場所を示すＵＲＬの情報を通話相手先であるＩＰ電話装置１００’へ送信することが含まれる。
【００３６】
音声処理部１３０は、マイク１３１から入力された音声をＡ／Ｄ変換し、次いで音声コーデックによって圧縮し、圧縮されたデータを通信部１２０に出力する。また、通信部１２０において組立てられた音声データを音声コーデックによって伸張し、次いでＤ／Ａ変換してスピーカ１３２から出力する。
【００３７】
映像及び画像処理部１４０は、映像コーデックを備えており、カメラ１４１において撮影された映像を圧縮し、圧縮されたデータを通信部１２０に出力する。また、通信部１２０において組立てられた映像データを伸張する。また、映像及び画像処理部１４０は、画像コーデックを備えており、通信部１２０において組立てられた画像データを伸張し、制御部１１０のＲＡＭや記録部１６０を構成するメモリ１６１、或いはフラッシュメモリ１６２に展開する。
【００３８】
また、映像及び画像処理部１４０は表示制御機能を備えており、カメラ１４１から出力された映像データ及び制御部１１０のＲＡＭや記録部１６０を構成するメモリ１６１、或いはフラッシュメモリ１６２に展開された画像データを表示部１４２に表示可能な所定の態様に変換（拡大、縮小、画像を並べて配置する等）して表示部１４２のビデオメモリ（図示せず）上に展開し、表示部１４２に表示させる。
【００３９】
マイク１３１において集音された音声は、音声信号に変換され、音声処理部１３０に出力される。また、音声処理部１３０から出力された音声信号はスピーカ１３２において音声に変換され出力される。マイク１３１とスピーカ１３２は、ＩＰ電話装置１００に固定的に設けられていてもよいが、ヘッドセットであってもよい。ヘッドセットであれば、手でマイク１３１を持たなくてよいので、利便性が高まる。
【００４０】
カメラ１４１は、ＩＰ電話装置１００の通話中にその前にある被写体を撮影するためのものである。通常、ＩＰ電話装置１００の正面にはユーザが位置することになるので、カメラ１４１においてはユーザが被写体として撮影される。撮影された映像は、映像及び画像処理部１４０に出力される。
【００４１】
表示部１４２は、液晶ディスプレイユニットであり、映像及び画像処理部１４０の表示制御機能によって表示部１４２のビデオメモリ上に展開された映像や画像を表示する。また、表示部１４２はＷｅｂサーバから取得したファイル（Ｗｅｂページデータ）を基に作成されたＷｅｂページを表示する。
【００４２】
操作部１５０は、表示部１４２に一体に形成されたタッチパネルや、テレビ電話装置１００を構成する筐体の一部分に形成されたテンキーやボタンの形をとる。ユーザは表示部１４２に表示された入力用のアイコンの部位に接触することで入力操作を行ったり、テンキーを指で押すことにより、電話番号を入力したりする。
【００４３】
また、この操作部１５０は、後述するＷｅｂページの加工処理における加工手段としても機能し、ユーザがタッチパネルやテンキー等を介した操作を行うことにより、Ｗｅｂページを構成するファイルのテキストを編集（例えば、色やフォントの変更、不要な箇所の削除）したり、スクロール後の所定位置での実際の表示映像を画像ファイルとして新たなＨＴＭＬファイルを作成したりする。
【００４４】
記録部１６０は、テレビ電話装置１００に内蔵されたメモリ１６１、或いはフラッシュメモリ１６２のように接続／取外しが可能なメモリで構成される。記録部１６０は、画像データ、テキストデータ、等のデータを記憶している。これらのデータは、ユーザの指示があった場合に、被共有データとして、通信相手先のＩＰ電話装置１００’或いは、インターネット１０６に接続されたサーバに送信される。
【００４５】
また、記憶部１６０はユーザが加工処理を施したＷｅｂページ（加工Ｗｅｂページ）を構成する各種のファイル（加工Ｗｅｂページデータ）を格納しておき、また、通信相手先のＩＰ電話装置１００’が備えるブラウザからの要求があった場合、通信部１２０を介して加工ＷｅｂページデータをＩＰ電話装置１００’に送信するサーバ手段としても機能する。
【００４６】
さらに、記録部１６０には、複数の通信相手先の電話番号、氏名、共有データの共有可否情報を関連付けたアドレス帳が記憶される。共有可否情報は、操作部１５０によってユーザが予め設定するものであってもよいし、「共有不可能」な通信相手先として登録されていても、一度共有を許可した場合には「共有可能」な通信相手先として設定が変更されるようにしてもよい。
【００４７】
ここで、データの共有とは、表示部１４２に表示される画面を構築する各種のデータからなる画面情報および当該画面情報に基づいて表示された画面に対してユーザが行った操作情報（以下、被共有データという）を、通話相手先のＩＰ電話装置１００’に送信し、ＩＰ電話装置１００’においてもＩＰ電話装置と同様の画像データ、テキストデータ、アプリケーションを、同一の画面操作状態で表示部１４２において参照できる状態のことをいう。
【００４８】
また、データの共有には、ＩＰ電話装置１００と通話相手先のＩＰ電話装置１００’の一対一の通信における被共有データの送受信に加えて、インターネット１０６に接続されたサーバを介して被共有データを送受信、或いは操作するようなものも含まれる。例えば、ＩＰ電話装置１００からインターネット１０６に接続されたサーバに被共有データを送信して被共有データを保存し、通話相手先のＩＰ電話装置１００’から上述のサーバにアクセスすることによって被共有データを受信、或いは操作できるようにしてもよい。さらには、通話相手先のＩＰ電話装置１００’から上述のサーバに送信された被共有データをこちらのＩＰ電話装置１００からアクセスして受信或いは操作できるようにすることによって共有するようにしてもよい。
【００４９】
更には、このようなデータの共有の他に、本実施形態の通信システムにおいては、ユーザのＩＰ電話装置１００がＷｅｂサーバとしても機能することで、ユーザが加工した加工Ｗｅｂページデータの格納及び、通話相手先であるＩＰ電話装置１００’のブラウザからの要求による加工Ｗｅｂページデータの送信を行って、ユーザのＩＰ電話装置１００と通
話相手先のＩＰ電話装置１００’との間で加工Ｗｅｂページの共有を行うことができる。
【００５０】
時計部１７０は、現在時刻を計時するための回路であり、例えば所定の周波数による発振出力を行う水晶振動子を用いて計時を行う。また時計部１７０は、時刻情報だけではなく、現在の月日や曜日といった暦に関連する暦情報の管理を行うことも可能である。
【００５１】
電源部１８０は、ＡＣアダプタ１８１から所定の直流電圧を受けて、ＩＰ電話装置１００の各部構成要素に電源を供給する。
【００５２】
以上のような構成をＩＰ電話装置１００は備えている。そして、ＩＰ電話装置１００と略同様の構成を、ＩＰ電話装置１００’も備えている。
【００５３】
次に、図３〜図６を参照して、本実施例のＩＰ電話装置１００、１００’における加工Ｗｅｂページの共有処理について説明する。
【００５４】
なお、図３は、本発明の実施例に係るＩＰ電話装置同士が加工Ｗｅｂページの共有を行う制御を示したシーケンス図である。図４は、本発明の実施例に係る加工Ｗｅｂページの共有処理を行うにあたって、ユーザ側のＩＰ電話装置１００で行われるＷｅｂページの加工処理の動作を示すフローチャートである。図５は、本発明の実施例に係る共有処理におけるユーザ側のＩＰ電話装置１００の動作を示すフローチャートである。図６は、本発明の実施例に係る共有処理における通話相手先のＩＰ電話装置１００’の動作を示すフローチャートである。
【００５５】
ステップＳ３０１において、ユーザがＩＰ電話装置（端末Ａ）１００の操作部１５０を操作してＩＰ電話網１０５に接続された通話相手先のＩＰ電話装置（端末Ｂ）１００’の電話番号を入力する。或いは、ユーザは操作部１５０を操作して記録部１６０に記憶されたアドレス帳を呼出して通話相手先を選択する。すると、通信部１２０は、入力された電話番号、或いは選択された通話相手先の情報に基づいて通話相手先を探し、通話相手先のＩＰ電話装置１００’を呼出し、ステップＳ３０２において、通話相手先が応答したならば通信セッションが確立され、通話が開始される。
【００５６】
ステップＳ３０３において、ＩＰ電話装置１００と通話相手先のＩＰ電話装置１００’との間で音声、映像の送受信が行われる。具体的には、マイク１３１から入力された音声は音声処理部１３０においてＡ／Ｄ変換されてから音声コーデックによって圧縮される。カメラ１４１において撮影された映像は、映像及び画像処理部１４０が備えた表示制御機能によって表示部１４２に表示されるとともに、映像及び画像処理部１４０が備えた映像コーデックによって圧縮される。さらに圧縮された音声データ及び映像データはそれぞれ通信部１２０においてＩＰパケットに分割され、有線ＬＡＮ１０１に送信され、送信された音声データ及び映像データは、通話相手先のＩＰ電話装置１００’において再生、表示される。
【００５７】
一方、通話相手先のＩＰ電話装置１００’からＩＰパケットとして送信されてきた音声データ及び映像データをユーザ側のＩＰ電話装置１００において受信すると、通信部１２０はそれぞれＩＰパケットを音声データと映像データの種類毎に分け、それぞれ分割されたパケットから実際のデータ部分を抽出し、順番に組立てる。次いで、音声データは音声処理部１３０の音声コーデックにおいて伸張され、次いでＤ／Ａ変換されてスピーカ１３２に出力され、音声として出力される。また、映像データは映像及び画像処理部１４０が備える映像コーデックによって伸張され、表示制御機能によって表示部１４２にて表示可能な態様に編集されて表示部１４２に表示される。
【００５８】
次に、ステップＳ３０４において、通信部１２０は、ＩＰ電話装置１００に保存された加工Ｗｅｂページデータのアドレスを示すＵＲＬ情報をＩＰ電話装置１００’に送信する。  そして、ステップ３０５において、通話相手先であるＩＰ電話装置１００’のブラウザが、このＵＲＬ情報を指定して、加工Ｗｅｂページデータを保存するＩＰ電話装置１００に接続する。
【００５９】
次に、ステップ３０６において、Ｗｅｂサーバとして機能するＩＰ電話装置１００から、加工Ｗｅｂページを表示するために必要なＨＴＭＬファイルと、画像等のファイルからなる加工Ｗｅｂページデータが、ＩＰ電話装置１００’に送信される。そして、ＩＰ電話装置１００’のブラウザは、受け取った加工ＷｅｂページデータのＨＴＭＬファイルのプログラムに従って、各ファイルのデータを使い、ユーザによってカスタマイズされたＷｅｂページを表示する。
【００６０】
次に、図４に本発明の実施例に係る加工Ｗｅｂページの共有処理を行うにあたって、ユーザ側のＩＰ電話装置１００で事前に行われるオリジナルのＷｅｂページに対する加工処理の動作を示す。なお、この加工処理は、必ずしもユーザと通話相手先との通話が開始される前に完了しておく必要はなく、ユーザと通話相手先との通話中に行ってもよい。
【００６１】
先ず、ステップＳ４０１において、制御部１１０はユーザが操作部１５０の操作に基づいて、初期化されたブラウザを起動させる。そして、ステップＳ４０２において、ユーザが操作部１５０を操作してＵＲＬを入力したか否かを判定する。この時ユーザによって入力されるＵＲＬは、通話相手先との間で共有したいと考えている加工Ｗｅｂページを作成する前の、オリジナルのＷｅｂページを表示するものである。
【００６２】
ステップＳ４０２において、制御部１１０はＵＲＬが入力されたと判定した場合、ステップＳ４０３の処理に進み、制御部１１０は通常のブラウザ動作を実行する。すなわち、入力されたＵＲＬ情報に基づいてインターネット１０６に接続されたＷｅｂサーバに対してＷｅｂページのリクエストを行い、Ｗｅｂサーバから所望のＷｅｂページのデータを取得して、表示部１４２上にＷｅｂページを表示させる。なお、ステップＳ４０２において、制御部１１０は、ＵＲＬが入力されたと判定しなければ、ＵＲＬが入力されるまでこの処理を繰り返す。
【００６３】
次に、制御部１１０は、ステップＳ４０４において、ユーザが表示部１４２に表示されたオリジナルのＷｅｂページに関して、操作部１５０を介した加工処理が行われた否かを判定する。
【００６４】
オリジナルのＷｅｂページに関する加工処理とは、具体的には、Ｗｅｂページを構成する文章の色やフォントを変更したり、不要な文章や画像を削除したりして、新たなＨＴＭＬファイルと画像等のファイルを作成する処理の他、例えば、任意の位置までスクロールし、その位置での実際の表示映像を画像ファイルとして新たなＷｅｂページを構築するＨＴＭＬファイルを作成したりするような処理である。そして、ＩＰ電話装置１００は、オリジナルのＷｅｂページを加工して作成した加工Ｗｅｂページを共有することで、ユーザと通話相手先との間での意志疎通をより一層図ることができる。
【００６５】
ステップＳ４０４において、オリジナルのＷｅｂページに対する加工処理が行われた場合、ステップＳ４０５に進み、制御部１１０は、加工Ｗｅｂページを構成するＨＴＭＬファイルや画像等のファイルからなる加工Ｗｅｂページデータを、サーバ手段を構成する記憶部１６０に保存して、この処理を終了する。なお、ステップＳ４０４において、オリジナルのＷｅｂページに対する加工処理が行われていない場合、加工処理が行われるまでこれらの処理を繰り返す。
【００６６】
次に、図５に本発明の実施形態に係る加工Ｗｅｂページの共有処理におけるユーザ側のＩＰ電話装置１００の動作を示す。
【００６７】
先ず、ステップ５０１において、制御部１１０は、通話相手先のＩＰ電話装置１００’との間で、通話が開始されているか否かの判定を行う。具体的には、制御部１１０は、通信部１２０において、通話相手先のＩＰ電話装置１００’との間で通話セッションが確立されているか否かにより判定する。
【００６８】
そして、制御部１１０は、通話相手先との間で通話セッションが確立されていなければこの処理を繰り返し、通話相手先との間で通話セッションが確立されていれば、ステップＳ５０２に進み、ＩＰ電話装置１００’に加工Ｗｅｂページデータのアドレスを示すＵＲＬ情報を送信する。なお、ＵＲＬ情報の送信は、具体的には、ユーザが通話相手先との間で加工Ｗｅｂページの共有を開始したいと考え、操作部１５０を介してＵＲＬ情報の送信指示を入力することにより行われる。また、このＵＲＬ情報は、一般的なＵＲＬと同様に、スキーム名と、ＩＰ電話装置１００を示すホスト名と、加工Ｗｅｂページデータのファイルを示すパス名で構成されたものである。
【００６９】
次に、ステップＳ５０３において、制御部１１０は、通話相手先のＩＰ電話装置１００’から、加工Ｗｅｂページデータの送信要求が行われているか否かの判定を行う。具体的には、制御部１１０は、通話相手先であるＩＰ電話装置１００’が、ＩＰ電話装置１００’のブラウザを起動し、ステップＳ５０２で送信したＵＲＬ情報に基づき、Ｗｅｂサーバとして機能するＩＰ電話装置１００に接続したか否かにより判定する。
【００７０】
そして、通話相手先のＩＰ電話装置１００’から加工Ｗｅｂページデータの送信要求が行われていれば、制御部１１０は、ステップＳ５０４において、記憶部１６０に保存されている加工Ｗｅｂページデータを、ＩＰ電話装置１００’に送信する。一方、通話相手先のＩＰ電話装置１００’から加工Ｗｅｂページデータの送信要求が行われていなければ、制御部１１０は、ＩＰ電話装置１００’から送信要求が行われるまで、この処理を繰り返す。
【００７１】
次に、ステップＳ５０５において、制御部１１０は、ユーザが表示部１４２上のブラウザに表示された加工Ｗｅｂページに対して操作部１５０を介した操作を行った否かを判定する。この加工Ｗｅｂページに対する操作とは、例えば、ユーザが画面をスクロールさせた場合のスクロールの移動方向やスクロールの移動量、キーカーソルやマウスポインタの座標位置等である。
【００７２】
そして、ユーザが操作を行ったのであれば、ステップＳ５０６に進み、通信部１２０を介して通話相手先のＩＰ電話装置１００’へこの操作情報を送信する。このように、ユーザの操作情報を通話相手先のＩＰ電話装置１００’へ送信することにより、通話相手先のＩＰ電話装置１００’でもこの操作情報を基にユーザの操作内容を反映し、表示することができる。なお、図５には特に図示していないが、ＩＰ電話装置１００は、ステップＳ５０５、５０６とは反対に、通話相手先が行った操作の情報をＩＰ電話装置１００側で受信し、通話相手先の操作内容をＩＰ電話装置１００側で表示することも可能である。
【００７３】
次に、ステップＳ５０７において、制御部１１０は、通話相手先であるＩＰ電話装置１００’との間での共有が終了したか否かの判定を行う。具体的には、制御部１１０は、通信部１２０において、通話相手先のＩＰ電話装置１００’との間で通話セッションが切断されているか否かにより判定する。
【００７４】
そして、制御部１１０は、ステップＳ５０７において、ＩＰ電話装置１００’との間での共有が終了したと判定されると処理を終了し、共有が終了していないのであればステップＳ５０５に戻って処理を繰り返す。
【００７５】
次に、図６に本発明の実施形態に係る加工Ｗｅｂページの共有処理における通話相手先であるＩＰ電話装置１００’の動作を示す。
【００７６】
先ず、ステップ６０１において、ＩＰ電話装置１００’の制御部１１０は、ユーザのＩＰ電話装置１００との間で、通話が開始されているか否かの判定を行う。
【００７７】
次に、ユーザのＩＰ電話装置１００との間で通話が開始されていると、ステップＳ６０２においてＩＰ電話装置１００の制御部１１０’は、ＩＰ電話装置１００’に搭載されているブラウザの初期化を行う。ユーザのＩＰ電話装置１００との間で通話が開始されていなければ、ステップＳ６０１の処理を繰り返す。
【００７８】
そして、ステップＳ６０３において、ＩＰ電話装置１００’の制御部１１０はユーザのＩＰ電話装置１００から送信されるＵＲＬ情報を受信したか否かを判定する。ユーザのＩＰ電話装置１００から送信されるＵＲＬ情報を受信していないのであれば、ＩＰ電話装置１００’の制御部１１０は、ＵＲＬ情報を受信するまでのこの処理を繰り返す。
【００７９】
一方、ＵＲＬ情報を受信したのであれば、ＩＰ電話装置１００’の制御部１１０は、ステップ６０４においてＩＰ電話装置１００’のＷｅｂブラウザを動作させる。
【００８０】
具体的には、通信相手先のユーザがＩＰ電話装置１００’のＷｅｂブラウザを起動し、ＩＰ電話装置１００’のブラウザは、受信したＵＲＬ情報のＵＲＬに基づきＷｅｂサーバとして機能するＩＰ電話装置１００に接続し、ＩＰ電話装置１００に対して加工Ｗｅｂページデータの送信要求と、ＩＰ電話装置１００から送信された加工Ｗｅｂページデータの受信を行う。この時、ＩＰ電話装置１００’のユーザとしては、加工Ｗｅｂページを共有する場合、Ｗｅｂページを閲覧する時に行う通常行うＷｅｂブラウザの立ち上げと同様、Ｗｅｂブラウザの立ち上げだけを行えばよい。したがって、ユーザが行う操作としては非常に簡単なものとなる。
【００８１】
次に、ステップＳ６０５において、ＩＰ電話装置１００’の制御部１１０は、ＩＰ電話装置１００から受信した加工Ｗｅｂページデータを基に、加工Ｗｅｂページを表示部１４２に表示する。
【００８２】
そして、ステップＳ６０６において、ＩＰ電話装置１００’の制御部１１０は、ＩＰ電話装置１００からステップＳ５０６において送信される操作データを受信したか否かを判定する。操作データを受信したのであれば、ステップＳ６０７において、ユーザが行った操作内容を表示部１４２を介して反映させて、ステップＳ６０８の処理に進む。操作データを受信していないのであれば、そのままステップＳ６０８の処理に進む。
【００８３】
次に、ＩＰ電話装置１００’の制御部１１０は、ステップＳ６０８において、ＩＰ電話装置１００との間での共有が終了したと判定されると処理を終了し、共有が終了していないのであればステップＳ５０５に戻って処理を繰り返す。
【００８４】
このように、本実施形態のＩＰ電話装置１００及び通信システムにおいては、ＩＰ電話装置１００が、オリジナルのＷｅｂページデータに対して加工を施す加工手段と、この加工を施した加工Ｗｅｂページデータを格納、送信するサーバ手段を備えている。したがって、ＩＰ電話装置１００’との間で加工Ｗｅｂページを共有しようとする場合、共有のた
めの別の専用サーバを必要としないので、簡単な構成により実現することができる。また、ＩＰ電話装置１００’のブラウザを起動させる、サーバとして機能するＩＰ電話装置１００へ接続するだけで、加工Ｗｅｂページの共有を行うことができるので、ＩＰ電話装置のユーザにとって、複雑な操作が要求されることはなく、ＩＰ電話装置は非常に利便性の高いものとなっている。
【符号の説明】
【００８５】
１００    ＩＰ電話装置
１００’  ＩＰ電話装置
１０１    有線ＬＡＮ
１０２    ＩＰ電話ルータ
１０３    ブロードバンドルータ
１０４    ゲートウェイ
１０５    ＩＰ電話網
１０６    インターネット
１０７    ＰＳＴＮ網
１０８    加入者電話装置
１１０    制御部
１２０    通信部
１３０    音声処理部
１３１    マイク
１３２    スピーカ
１４０    映像及び画像処理部
１４１    カメラ
１４２    表示部
１５０    操作部
１６０    記録部
１６１    メモリ
１６２    フラッシュメモリ
１７０    時計部
１８０    電源部
１８１    ＡＣアダプタ
【図１】
2013201592.tif 000003
【図２】
2013201592.tif 000004
【図３】
2013201592.tif 000005
【図４】
2013201592.tif 000006
【図５】
2013201592.tif 000007
【図６】
2013201592.tif 000008